(57)【要約】【課題】本考案は、ゴム製品に優れた接着性を有するゴム製品絵付け用転写シート、およびそれを設けた絵付きゴム製品を提供する。【解決手段】一方の面に絵柄層を有するシートの他方の面に、ウレタン系樹脂、ビニル系樹脂、スチレン−ブタジエン系樹脂、エポキシ系樹脂、メラミン系樹脂およびアクリル系樹脂からなる群から選択される１種以上の接着剤から形成される接着層を有する絵付け用転写層および剥離シートを含むゴム製品絵付け用転写シートである。【選択図】図２
0003121373.tif 000002
【実用新案登録請求の範囲】
【請求項１】
一方の面に絵柄層を有するシートの他方の面に、ウレタン系樹脂、ビニル系樹脂、スチレン−ブタジエン系樹脂、エポキシ系樹脂、メラミン系樹脂およびアクリル系樹脂からなる群から選択される１種以上の接着剤から形成される接着層を有する絵付け用転写層および剥離シートを含むゴム製品絵付け用転写シート。
【請求項２】
接着剤が、溶液型接着剤である請求項１記載のゴム製品絵付け用転写シート。
【請求項３】
請求項１または２記載のゴム製品絵付け用転写シートの絵付け用転写層を設けた絵付きゴム製品。
【考案の詳細な説明】
【技術分野】
【０００１】
本考案は、ゴム製品表面に絵付を行うゴム製品絵付け用転写シートおよびそれを設けた絵付きゴム製品に関する。
【背景技術】
【０００２】
従来、ゴム製品に絵付けを行う方法としては、透明フィルム裏側に絵柄が印刷されたシールをゴム製品に貼り付ける方法等が知られている。しかし、この方法では、シールがゴム製品に充分に接着できず、ゴム製品を使用している間にシールがゴム製品から剥離するなどの問題があった。
【０００３】
また、別の方法としては、未加硫ゴムに転写シートを用いて絵付けを行う方法が知られている（例えば、特許文献１参照）。しかし、この方法では、ゴム製品形成時に処理を施す必要があり、既存のゴム製品に絵付けを行うことができなかった。
【０００４】
既存のゴム製品に絵付けを行う方法として、基体シートに絵付転写層を積層してなる転写シートを用いる方法が知られている（たとえば、特許文献２参照）。この方法では、既存のゴム製品に図柄層を設けることはできるが、その接着性は充分なものではなかった。
【０００５】
【特許文献１】特開２００４−２９９２０１号公報
【特許文献２】特開平６−２７０５９５号公報
【考案の開示】
【考案が解決しようとする課題】
【０００６】
本考案は、ゴム製品に優れた接着性を有するゴム製品絵付け用転写シート、およびそれを設けた絵付きゴム製品を提供するものである。
【課題を解決するための手段】
【０００７】
すなわち、本考案は、一方の面に絵柄層を有するシートの他方の面に、ウレタン系樹脂、ビニル系樹脂、スチレン−ブタジエン系樹脂、エポキシ系樹脂、メラミン系樹脂およびアクリル系樹脂からなる群から選択される１種以上の接着剤から形成される接着層を有する絵付け用転写層および剥離シートを含むゴム製品絵付け用転写シートに関する。
【０００８】
接着剤が、溶液型接着剤であることが好ましい。
【０００９】
また、本考案は、前記ゴム製品絵付け用転写シートの絵付け用転写層を設けた絵付きゴム製品に関する。
【考案の効果】
【００１０】
本考案のゴム製品絵付け用転写シートは、特定の接着剤から形成される接着層を有することで、ゴム製品に優れた接着性を奏するものである。
【考案を実施するための最良の形態】
【００１１】
本考案は、一方の面に絵柄層を有するシートの他方の面に、ウレタン系樹脂、ビニル系樹脂、スチレン−ブタジエン系樹脂、エポキシ系樹脂、メラミン系樹脂およびアクリル系樹脂からなる群から選択される１種以上の接着剤から形成される接着層を有する絵付け用転写層および剥離シートを含むゴム製品絵付け用転写シートおよび該転写シートを設けた絵付きゴム製品に関する。
【００１２】
以下、図を用いて本考案をさらに詳しく説明する。図１に、本考案のゴム製品絵付け用転写シート１０の一実施例を示す断面図を、図２に、本考案の絵付けゴム製品２０の一実施例を示す断面図を示す。図１〜２において、参照符号１は絵柄層、参照符号２はシート、参照符号３は接着剤層、参照符号４は絵付け用転写層、参照符号５は剥離シート、参照符号６はプライマー層をそれぞれ示す。
【００１３】
シート２としては、絵柄層１を印刷できるものであればよく、特に限定されないが、たとえば、ウレタン系樹脂、ポリエステル系樹脂またはポリカーボネート系樹脂などからなるシートをあげることができる。これらの中でも、耐溶剤性、耐熱性の点からポリカーボネート系樹脂が好ましい。また、ゴム製品が白色ではない場合、白色の含量を配合して、シートを白色にすることが好ましい。
【００１４】
絵柄層１は、シート１の全面または一部に所望の図柄を形成することにより得られる。絵柄層１は、シート１上にインクジェット印刷、スクリーン印刷、グラビア印刷等の通常の印刷方法により形成することができる。なかでも、オンデマンド（多品種少ロット）に対応できるとともに、家庭用コンピュータを使用した簡単デザインソフトが流通していることから、インクジェットプリンタおよびレーザープリンタを使用することが好ましい。
【００１５】
接着剤層３を形成する接着剤としては、ウレタン系樹脂、ビニル系樹脂、スチレン−ブタジエン系樹脂、エポキシ系樹脂、メラミン系樹脂およびアクリル系樹脂からなる群から選択される１種以上の接着剤である。このような接着剤を用いることで、被着体であるゴム製品に優れた接着性を有するものである。接着剤としては、これらの樹脂を２種以上混合して使用することが好ましい。これらの中でも、高温で溶解する点で、ポリエステル系樹脂およびポリウレタン系樹脂が好ましい。
【００１６】
接着剤層３の厚さは、特に限定されないが、２０〜５０μｍであることが好ましい。接着剤の塗布量が２０μｍ未満であるとゴム製品に対して充分な接着性が得られない傾向があり、５０μｍをこえると得られる絵付きゴム製品の外観を損なう傾向がある。
【００１７】
接着剤層３の形成方法としては、シート１２に、グラビア印刷法・スクリーン印刷法などの通常の印刷法やロールコーター法により成形することができる。
【００１８】
絵付け用転写層４は、絵柄層１、シート２、接着剤層３から形成されるものであり、絵付け転写層４がゴム製品に転写される。
【００１９】
剥離シート５は、絵付け用転写層４を支持するものであり、転写前に絵付け用転写層４から剥離除去されるものである。剥離シート５としては、通常の転写シートで剥離シートとして用いられるフィルムを使用する。このようなフィルムとして、たとえば、ポリブチレンテレフタレートフィルム、アクリロニトリルブタジエンスチレンフィルム、アクリルフィルム、ポリエチレンテレフタレートフィルム、ポリプロピレンフィルム、ポリエチレンフィルム、ナイロンフィルム、セロハンフィルムなどがあげられる。その他、紙にシリコンまたはフッ素樹脂などを塗布して離型処理したものも使用することができる。
【００２０】
図２を参照すると、本考案の絵付きゴム製品２０は、ゴム製品絵付け用転写シートの剥離シート５（図１参照）を剥離し、絵付け転写層４の接着剤層３をゴム製品（すなわち、図２において参照符号Ｒで示されたゴム層）表面に重ね合わせ、熱圧を加えて絵付転写層をゴム製品に接着することにより得られるものである。
【００２１】
ゴム製品絵付け用転写シートの剥離シート５を剥離する前に、ゴム製品絵付け用転写シートを所望の形に切り取ることも可能であり、適宜好みの大きさにすることができる。
【００２２】
絵付け転写層４の接着剤層３をゴム製品Ｒの表面の任意の箇所に重ね合わせた後、絵柄層側より熱圧を加えて絵付け用転写層４をゴム製品Ｒに接着させる。加熱・加圧の方法としては、熱盤でプレスして圧着する方法、加熱ローラーを回転しながら転がして圧着させる方法等があげられる。なお、絵付け転写層４の接着剤層３をゴム製品Ｒの表面の任意の箇所に重ね合わせる場合に、非転着剤をコーティングしたフィルムまたは和紙などの非転着剤層に、あらかじめ絵付け用転写層４を写し取り、それをゴム製品Ｒに写し取ることもできる。
【００２３】
圧熱条件は、用いるシート１、接着剤等の種類によって適宜選択することができるが、加熱温度を１００〜１８０℃、プレス圧を３５０〜６００ｇ／ｃｍ2にすることが好ましく、１３０〜１５０℃、５００〜６００ｇ／ｃｍ2にすることがより好ましい。加熱温度が１００℃未満であると絵付け転写層４がゴム製品に充分に接着されず、ゴム製品使用中に絵付け転写層が剥離してしまう傾向があり、１８０℃をこえると、ゴム製品が劣化する傾向がある。プレス圧が３５０ｇ／ｃｍ2未満であると絵付け転写層４がゴム製品に充分に接着されず、ゴム製品使用中に絵付け転写層が剥離してしまう傾向がある。また、圧熱処理時間は、特に制限されないが、１〜５分が好ましい。
【００２４】
また、絵付け転写層４とゴム製品の接着性を向上させるために、プライマー６として、イソプレン系溶剤、塩素系の溶剤などを用いてゴム製品の表面を粗化させて、プライマー層６を設けることが好ましい。
【００２５】
このようにして、転写した絵付け転写層４のうえに、透明カバーシートを設置することもできる。透明カバーシートを設置することにより、絵付け転写層４が摩擦により剥がれることを防止することができる。透明カバーシートの設置条件は、前述した絵付け転写層４の転写圧熱条件と同様に行うことができる。
【００２６】
ゴム製品としては、本考案のゴム製品絵付け用転写シートの絵付け転写層４を接着できるものであればよく、特に限定されないが、たとえば、ゴムボール、ゴムマット、ゴム手袋、ゴムタイヤなどをあげることができる。
【図面の簡単な説明】
【００２７】
【図１】本考案のゴム製品絵付け用転写シートの一実施例を示す断面図である。
【図２】本考案の絵付けゴム製品の一実施例を示す断面図である。
【符号の説明】
【００２８】
１  絵柄層
２  シート
３  接着剤層
４  絵付け用転写層
５  剥離シート
６  プライマー層
１０  ゴム製品絵付け用転写シート
２０  絵付けゴム製品
Ｒ  ゴム層
【図１】
0003121373.tif 000003
【図２】
0003121373.tif 000004